【手続補正書】
【提出日】平成20年7月30日(2008.7.30)
【手続補正１】
【補正対象書類名】明細書
【補正対象項目名】特許請求の範囲
【補正方法】変更
【補正の内容】
【特許請求の範囲】
【請求項１】  物体側から順に、負の屈折力の前群、正の屈折力の後群からなり、前群と後群の主点間隔を変化させて変倍させるズームレンズにおいて、前記前群を物体側から順に正の屈折力のＦａ群と負の屈折力のＦｂ群で構成し変倍時に前記Ｆａ群と前記Ｆｂ群の間隔を変化させ、前記後群を物体側から順に正の屈折力のＲａ群と正の屈折力のＲｂ群で構成し変倍時に前記Ｒａ群と前記Ｒｂ群の間隔を変化させ、広角端から望遠端への変倍に際して、前記Ｆｂ群、前記Ｒａ群、前記Ｒｂ群はレンズ全系の像面に対して移動し、前記Ｒｂ群は像側に移動したのち物体側へ移動し、前記Ｒａ群は少なくとも前記Ｒｂ群が物体側へ移動するまでは物体側に移動することを特徴とするズームレンズ。
【請求項２】  物体側から順に、負の屈折力の前群、正の屈折力の後群からなり、前群と後群の主点間隔を変化させて変倍させるズームレンズにおいて、前記前群を物体側から順に正の屈折力のＦａ群と負の屈折力のＦｂ群で構成し変倍時に前記Ｆａ群と前記Ｆｂ群の間隔を変化させ、前記後群を物体側から順に正の屈折力のＲａ群と正の屈折力のＲｂ群で構成し変倍時に前記Ｒａ群と前記Ｒｂ群の間隔を変化させ、広角端から望遠端への変倍に際して、レンズ全系の像面に対して前記Ｆａ群は固定であり、前記Ｆｂ群、前記Ｒａ群、前記Ｒｂ群は移動し、前記Ｆａ群は凸単レンズのみからなり、前記Ｒａ群は凸レンズと該凸レンズの像側に凹レンズを有し、前記Ｒｂ群は１枚の凸レンズを有し、前記Ｒａ群の凹レンズの屈折率をＮＲａＮとし、前記Ｒｂ群の凸レンズの屈折率をＮＲｂＰとするとき、
−０．０５  ＜  ＮＲａＮ−ＮＲｂＰ  ＜  ０．１３
なる条件を満足することを特徴とするズームレンズ。
【請求項３】  物体側から順に、負の屈折力の前群、正の屈折力の後群からなり、前群と後群の主点間隔を変化させて変倍させるズームレンズにおいて、前記前群を物体側から順に正の屈折力のＦａ群と負の屈折力のＦｂ群で構成し変倍時に前記Ｆａ群と前記Ｆｂ群の間隔を変化させ、前記後群を物体側から順に正の屈折力のＲａ群と正の屈折力のＲｂ群で構成し変倍時に前記Ｒａ群と前記Ｒｂ群の間隔を変化させ、広角端から望遠端への変倍に際して、少なくとも前記Ｆｂ群、前記Ｒａ群、前記Ｒｂ群はレンズ全系の像面に対して移動し、前記Ｆａ群は凸単レンズのみからなり、前記Ｒａ群は凸レンズと該凸レンズの像側に凹レンズを有し、前記Ｒｂ群は２枚の凸レンズからなり、前記Ｆａ群の凸単レンズの屈折率をＮＦａＰとし、前記Ｒｂ群の２枚の凸レンズのうちの１枚の凸レンズの屈折率をＮＲｂＰとするとき、
０．０９  ＜  ＮＲｂＰ−ＮＦａＰ  ＜  ０．４１
なる条件を満足することを特徴とするズームレンズ。
【請求項４】  前記Ｆａ群は変倍に際して固定であることを特徴とする請求項１に記載のズームレンズ。
【請求項５】  前記Ｆａ群は正の凸レンズのみからなり、前記Ｒａ群は凸レンズと該凸レンズの像側に凹レンズを有し、前記Ｒｂ群は１枚の凸レンズを有し、前記Ｒａ群の凹レンズの屈折率をＮＲａＮとし、前記Ｒｂ群の凸レンズの屈折率をＮＲｂＰとするとき、
−０．０５  ＜  ＮＲａＮ−ＮＲｂＰ  ＜  ０．１３
なる条件を満足することを特徴とする請求項１に記載のズームレンズ。
【請求項６】  広角端から望遠端への変倍に際して、絞りは像面に対して固定であることを特徴とする請求項１乃至５のいずれか１項に記載ズームレンズ。
【請求項７】  広角端から望遠端への変倍に際して、絞りは前記Ｒａ群と一体的に移動することを特徴とする請求項１乃至５のいずれか１項に記載のズームレンズ。
【請求項８】 広角端におけるレンズ全系の焦点距離をｆｗとし、前記Ｆａ群の焦点距離をｆＦａとするとき、
０．００  ＜  ｆｗ／ｆＦａ  ＜  ０．２０
なる条件を満足することを特徴とする請求項１乃至７のいずれか１項に記載のズームレンズ。
【請求項９】 広角端におけるレンズ全系の焦点距離をｆｗとし、前記Ｆｂ群の焦点距離をｆＦｂとするとき、
０．３５  ＜  ｆｗ／│ｆＦｂ│  ＜  ０．８０
なる条件を満足することを特徴とする請求項１乃至８のいずれか１項に記載のズームレンズ。
【請求項１０】 前記Ｒａ群の焦点距離をｆＲａとし、前記Ｒｂ群の焦点距離をｆＲｂとするとき、
０．５９  ＜  ｆＲａ／ｆＲｂ  ＜  １．５１
なる条件を満足することを特徴とする請求項１乃至９のいずれか１項に記載のズームレンズ。
【手続補正２】
【補正対象書類名】明細書
【補正対象項目名】０００７
【補正方法】変更
【補正の内容】
【０００７】
（１）本発明のズームレンズは、物体側から順に、負の屈折力の前群、正の屈折力の後群からなり、前群と後群の主点間隔を変化させて変倍させるズームレンズにおいて、前記前群を物体側から順に正の屈折力のＦａ群と負の屈折力のＦｂ群で構成し変倍時に前記Ｆａ群と前記Ｆｂ群の間隔を変化させ、前記後群を物体側から順に正の屈折力のＲａ群と正の屈折力のＲｂ群で構成し変倍時に前記Ｒａ群と前記Ｒｂ群の間隔を変化させ、広角端から望遠端への変倍に際して、前記Ｆｂ群、前記Ｒａ群、前記Ｒｂ群はレンズ全系の像面に対して移動し、前記Ｒｂ群は像側に移動したのち物体側へ移動し、前記Ｒａ群は少なくとも前記Ｒｂ群が物体側へ移動するまでは物体側に移動することを特徴とする。
【手続補正３】
【補正対象書類名】明細書
【補正対象項目名】０００８
【補正方法】変更
【補正の内容】
【０００８】
（２）本発明のズームレンズは、物体側から順に、負の屈折力の前群、正の屈折力の後群からなり、前群と後群の主点間隔を変化させて変倍させるズームレンズにおいて、前記前群を物体側から順に正の屈折力のＦａ群と負の屈折力のＦｂ群で構成し変倍時に前記Ｆａ群と前記Ｆｂ群の間隔を変化させ、前記後群を物体側から順に正の屈折力のＲａ群と正の屈折力のＲｂ群で構成し変倍時に前記Ｒａ群と前記Ｒｂ群の間隔を変化させ、広角端から望遠端への変倍に際して、レンズ全系の像面に対して前記Ｆａ群は固定であり、前記Ｆｂ群、前記Ｒａ群、前記Ｒｂ群は移動し、前記Ｆａ群は凸単レンズのみからなり、前記Ｒａ群は凸レンズと該凸レンズの像側に凹レンズを有し、前記Ｒｂ群は１枚の凸レンズを有し、前記Ｒａ群の凹レンズの屈折率をＮＲａＮとし、前記Ｒｂ群の凸レンズの屈折率をＮＲｂＰとするとき、
−０．０５  ＜  ＮＲａＮ−ＮＲｂＰ  ＜  ０．１３ ・・・（１）
なる条件を満足することを特徴とする。
【手続補正４】
【補正対象書類名】明細書
【補正対象項目名】０００９
【補正方法】変更
【補正の内容】
【０００９】
（３）本発明のズームレンズは、物体側から順に、負の屈折力の前群、正の屈折力の後群からなり、前群と後群の主点間隔を変化させて変倍させるズームレンズにおいて、前記前群を物体側から順に正の屈折力のＦａ群と負の屈折力のＦｂ群で構成し変倍時に前記Ｆａ群と前記Ｆｂ群の間隔を変化させ、前記後群を物体側から順に正の屈折力のＲａ群と正の屈折力のＲｂ群で構成し変倍時に前記Ｒａ群と前記Ｒｂ群の間隔を変化させ、広角端から望遠端への変倍に際して、少なくとも前記Ｆｂ群、前記Ｒａ群、前記Ｒｂ群はレンズ全系の像面に対して移動し、前記Ｆａ群は凸単レンズのみからなり、前記Ｒａ群は凸レンズと該凸レンズの像側に凹レンズを有し、前記Ｒｂ群は２枚の凸レンズからなり、前記Ｆａ群の凸単レンズの屈折率をＮＦａＰとし、前記Ｒｂ群の２枚の凸レンズのうちの１枚の凸レンズの屈折率をＮＲｂＰとするとき、
０．０９  ＜  ＮＲｂＰ−ＮＦａＰ  ＜  ０．４１ ・・・（２）
なる条件を満足することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
【発明の実施の形態】
以下に、本発明の構成について説明する。
【手続補正１１】
【補正対象書類名】明細書
【補正対象項目名】００１６
【補正方法】変更
【補正の内容】
【００１６】
本発明の第１のズームレンズは、基本的に負群先行型２群ズームの性質を持っており、負の屈折力の前群と正の屈折力の後群の主点間隔を変化させて変倍を行っている。変倍時に広角端側での前群の移動量が大きくカム構造が大型化しがちである。これを防ぐために、特に後群を、正の屈折力のＲａ群と正の屈折力のＲｂ群に分割し広角側でＲａ群とＲｂ群で異なる方向に移動させることにより、後群内で増変倍作用を持たせることが出来、これにより前群の広角端側での移動量を減ずることが出来、カム構造が大型化するのを防いでいる。
【手続補正１２】
【補正対象書類名】明細書
【補正対象項目名】００２５
【補正方法】変更
【補正の内容】
【００２５】
０．１５  ＜  ＮＲｂＰ−ＮＦａＰ  ＜  ０．３５・・・（２ａ）
また、本発明においてＲａ群は非球面凸レンズとこの像側に凹レンズを有する構成とすることが上記のようにテレ側への高倍化に望ましくかつ良好な収差補正に望ましい。また、変倍時絞りを像面に対して固定もしくはＲａ群と一体的に移動させることはメカ構造を簡素化させる上で望ましい。
【手続補正１３】
【補正対象書類名】明細書
【補正対象項目名】００４０
【補正方法】変更
【補正の内容】
【００４０】
図１は本発明による数値実施例１のレンズ構成を示しており、レンズバックフォーカス中には像面に対して固定のフィルターを挿入してある。